(57)【要約】【課題】構築面から室内に引き出された温水管の配管箇所における見栄えを向上し、また、紫外線による温水管の劣化を防止し、更には、パネルヒータの設置位置に容易に対応して取付けられるものとする。【解決手段】床面５３から引き出された温水管５１を覆って保護する調整カバー１１と、床面５３に設置され、調整カバー１１が内挿される挿入口を有する設置カバー３１とを備え、前記調整カバー１１は、分割体で構成し、一側端部にパネルヒータ５２と温水管５１とを接続する継手６１のナット６２に外嵌合する継手嵌合部を設け、他側は床面５３と継手６１との間隔に対応した長さに調整すべく床面５３に平行に切断可能な切断溝２０を形成した。【選択図】図７
2011089532.tif 000002
【特許請求の範囲】
【請求項１】
建築物の構築面から引き出されてパネルヒータに接続される温水管を保護する保護カバーであって、
前記構築面から引き出された温水管を覆って保護する調整カバーと、
前記構築面に設置され、前記調整カバーが内挿される挿入口を有する設置カバーとを備え、
前記調整カバーは、分割体で構成され、一側端部に前記パネルヒータと前記温水管とを接続する継手に外嵌合する継手嵌合部を有し、他側は前記構築面と前記継手との間隔に対応した長さに調整すべく切断可能に形成されてなることを特徴とするパネルヒータ用配管材の保護カバー。
【請求項２】
バルブ付きの前記継手を覆う継手カバーを更に備え、
該継手カバーは、前記バルブ付き継手のパネルヒータ側接続部に外嵌合する嵌合部と、前記調整カバーが接続される接続口とを備えてなることをことを特徴とする請求項１に記載のパネルヒータ用配管材の保護カバー。
【請求項３】
前記調整カバーは、二本の前記温水管を収容可能に形成されていることを特徴とする請求項１または請求項２に記載のパネルヒータ用配管材の保護カバー。
【請求項４】
前記調整カバーは、他側に段階的に切断可能な切断線が形成されていることを特徴とする請求項１乃至請求項３のいずれかに記載のパネルヒータ用配管材の保護カバー。
【発明の詳細な説明】
【技術分野】
【０００１】
本発明は、建築物の床面、壁面等の構築面から室内側に引き出されて室内のパネルヒータに接続された温水管を覆って保護するパネルヒータ用配管材の保護カバーに関するものである。
【背景技術】
【０００２】
従来より、温水を熱源とする暖房用機器としてパネルヒータが知られている。このパネルヒータは、特開平８−１５２１５１号公報等に記載されているように、内部に温水が通過する通路を有し、この通路を通過する温水の熱がフィンを備えた輻射パネルに伝達されて外部に放出される。パネルヒータは、室内の壁際の床面等に設置され、床面や壁面を貫通して室内に引き出された温水管が底面等に接続され、熱源から供給された温水が一方の温水管からパネルヒータに供給され、パネルヒータ内の通路を循環した後、他方の温水管に戻されている。
【先行技術文献】
【特許文献】
【０００３】
【特許文献１】特開平８−１５２１５１号公報
【発明の概要】
【発明が解決しようとする課題】
【０００４】
しかし、従来より、床面や壁面から引き出された温水管は、パネルヒータの底面等に接続されるまでの間において、室内にそのまま露出した状態に配管されているので、この部分における外観の低下を招いていた。
【０００５】
また、パネルヒータは通常室内の窓際など太陽光を受け易い箇所に設置されていることが多い。その一方で、温水管は、近年、樹脂管が多用されている。このような状況下、通水管は、前述のように、露出状態にあり、太陽光の紫外線の影響を受けて劣化し易い環境におかれていた。
【０００６】
このため、前記各不具合に鑑みて、温水管を保護カバーで覆って保護することも考えられる。しかし、その場合、パネルヒータは、一般に、床面や壁面からの設置位置が一定でなく、床面や壁面からパネルヒータまでの距離はばらついているので、保護カバーは、パネルヒータと温水管とを接続する継手と構築面との間隔に合わせて長さを調整する必要がある。
【０００７】
そこで、本発明は、構築面から室内に引き出された温水管の配管箇所における見栄えを向上することができ、また、紫外線による温水管の劣化を防止することができ、更には、パネルヒータの設置位置に容易に対応して取付けることのできるパネルヒータ用配管材の保護カバーの提供を課題とするものである。
【課題を解決するための手段】
【０００８】
請求項１のパネルヒータ用配管材の保護カバーは、建築物の構築面から引き出されてパネルヒータに接続される温水管を保護するものであって、前記構築面から引き出された温水管を覆って保護する調整カバーと、前記構築面に設置され、前記調整カバーが内挿される挿入口を有する設置カバーとを備えている。そして、前記調整カバーは、分割体で構成され、一側端部に前記パネルヒータと前記温水管とを接続する継手に外嵌合する継手嵌合部を有し、他側は前記構築面と前記継手との間隔に対応した長さに調整すべく切断可能に形成されてなる。
【０００９】
保護カバーは、通常、構築面から引き出された温水管をパネルヒータの底部等に接続する配管工事が完了した後、外側から温水管に取付けられる。調整カバーは、分割体で構成されているので、前記温水管の配管工事が完了した後においても、温水管の両側方から分割体をあてがって取付けることができる。
【００１０】
また、調整カバーは、パネルヒータと温水管とを接続する継手に外嵌合するので、継手に位置ずれすることなく安定して取付けることができる。調整カバーは、その他側をカッターや鋸等の工具を使用して構築面に平行に切断して、構築面側の先端から継手までの長さを調整することができる。
【００１１】
請求項２のパネルヒータ用配管材の保護カバーは、パネルヒータと温水管とを接続する継手がバルブ付きのものであって、これを覆う継手カバーを更に備えている。この継手カバーは、前記バルブ付き継手のパネルヒータ側接続部に外嵌合する嵌合部と、前記調整カバーが接続される接続口とを備えている。
【００１２】
即ち、この保護カバーは、調整カバー及び設置カバーに加え、バルブ付き継手を覆う継手カバーを備えた３部材で構成されている。なお、調整カバーはバルブ付き継手のうちのパネルヒータと温水管とを接続する温水管側接続部に外嵌合する。
【００１３】
請求項３のパネルヒータ用配管材の保護カバーは、調整カバーが、二本の温水管つまり行きと戻りの温水管を収容可能に形成されている。
【００１４】
請求項４のパネルヒータ用配管材の保護カバーは、調整カバーの他側に、段階的に切断可能な切断線が形成されている。即ち、切断線は、間隔をおいて複数条が平行に形成されており、任意の切断線を切断することにより、構築面と継手との間隔に対応して調整カバーの構築面側の先端から継手までの長さを調整することができる。なお、切断線は細溝等で形成することができる。
【発明の効果】
【００１５】
請求項１の発明は、保護カバーが構築面から引き出された温水管を覆うので、室内における温水管の配管箇所の見栄えを向上することができる。
また、保護カバーで温水管を覆うことにより、紫外線を遮断して温水管の劣化を防止することができる。
【００１６】
更に、パネルヒータの設置位置は定まっておらず、構築面から継手までの距離が一定でないところ、調整カバーの他側を構築面と平行方向に切断するだけで、構築面と継手との間隔に容易に対応することができ、温水管全体を覆って保護することができる。
【００１７】
そして、調整カバーは設置カバーの挿入口に内挿されるため、調整カバーの他側を切断した切り口が平滑でなく鋸歯状などに凹凸していたり、構築面に対して僅かに傾斜していても、その切り口は設置カバーで覆われて隠蔽されるので、切断箇所における外観の低下を招くことがない。
【００１８】
請求項２の発明は、バルブ付き継手は別途に継手カバーによって覆い、調整カバー及び設置カバーは、パネルヒータと温水管とを接続する継手がバルブを有しないものと共用することができる。即ち、調整カバー及び設置カバーは、継手がバルブ付きとバルブ無しとのいずれにも使用できるから、部品点数を削減でき、全体としてのコストを低減できる。
【００１９】
請求項３の発明は、調整カバーが、二本の温水管を収容可能となっているから、各温水管をそれぞれ保護カバーで保護する場合に比べて、二本の温水管の配管箇所を、よりまとまりのあるすっきりした外観に仕上げることができる。また、１個の保護カバーで二本の温水管を収容できるので、経済的である。
【００２０】
請求項４の発明は、調整カバーの他側に、段階的に切断可能な切断線が形成されているので、切断線に沿って切断することにより、調整カバーを構築面と継手との間隔に対応した長さに簡単に調整することができる。
【図面の簡単な説明】
【００２１】
【図１】本発明の第一実施形態の保護カバーを示す斜視図である。
【図２】図１の第１調整カバー半割体の斜視図である。
【図３】図１の第２調整カバー半割体の斜視図である。
【図４】図１の第１設置カバー半割体の斜視図である。
【図５】図１の第２設置カバー半割体の斜視図である。
【図６】図１の保護カバーの取付手順を説明する正面図である。
【図７】組付後の保護カバーを示す一部破断正面図である。
【図８】取付後の保護カバー及びパネルヒータを示す斜視図である。
【図９】図１の調整カバーの一部を切断して短縮した保護カバーを取付けた状態を示す正面図である。
【図１０】保護カバーを切断する方法を説明する説明図である。
【図１１】壁面から引き出された温水管に保護カバーを取付けた状態を示す斜視図である。
【図１２】図１１の保護カバーの斜視図である。
【図１３】本発明の第二実施形態の保護カバーを示す斜視図である。
【図１４】図１３の第１継手カバー半割体の斜視図である。
【図１５】図１３の第２継手カバー半割体の斜視図である。
【図１６】図１３の保護カバーの取付手順を説明する正面図である。
【図１７】図１３の調整カバーの一部を切断して短縮した保護カバーを取付けた状態を示す正面図である。
【発明を実施するための形態】
【００２２】
〈第一実施形態〉
まず、本発明の第一実施形態の保護カバーを図１乃至図１２に基づいて説明する。
図１乃至図５において、保護カバー１Ａは、建築物の構築面である建物の床面５３から引き出されてパネルヒータ５２に接続される温水管５１を覆って保護するものである。温水管５１は熱源からの温水をパネルヒータ５２に供給する側と、パネルヒータ５２の内部の通路を循環した後戻る側との二本が配管されている。保護カバー１Ａは、床面５３から引き出されたこれら二本の温水管５１を一体に覆って保護する調整カバー１１と、床面５３に設置され、調整カバー１１が内挿される挿入口３５を有する設置カバー３１とを備えている。
【００２３】
前記調整カバー１１は、図１乃至図３に示すように、全体的に断面一定の略小判形状或いはトラック形状に形成された筒状体をなすとともに、中央で第１調整カバー半割体１２と第２調整カバー半割体１３とに分割された２分割体で構成されている。一対の第１調整カバー半割体１２と第２調整カバー半割体１３とは、一部を除いて左右対称に形成されている。調整カバー１１は、二本の温水管５１を一体に収容可能な大きさに形成されている。また、調整カバー１１は、太陽光の紫外線に対する耐候性を備えたＡＥＳ樹脂などの合成樹脂で形成されている。
【００２４】
調整カバー１１の各半割体の内壁面１４の一側端部には、温水管５１とパネルヒータ５２とを接続する継手６１に外嵌合する継手嵌合部１６が設けられている。ここで、一側とは、パネルヒータ５２の配置側であり、図１では上部側を意味する。各半割体の上端部には内壁面１４と直交して内部側に屈曲する嵌合板１７が設けられている。そして、嵌合板１７の２箇所には継手６１のパネルヒータ側接続部が貫通する半円形の切欠孔１８が形成されている。この嵌合板１７は調整カバー１１が温水管５１及び継手６１に取付けられたときに下面が継手６１のナット６２の上面に当接するとともに、切欠孔１８が継手６１のナット６２の側面と嵌合してナット６２からの横ずれが防止されるようになっている。更に、嵌合板１７から下方に離間した位置には、仕切板１９が内壁面１４に立設されており、仕切板１９の２箇所には温水管５１が貫通する半円形の切欠孔１９ａが形成されている。前記嵌合板１７、及び内壁面１４の上部両側部分は、継手６１に外嵌合する前記継手嵌合部１６を構成し、保護カバー１Ａが継手６１に対して上下水平方向に移動するのを規制し、保護カバー１Ａを一定位置に保持する。
【００２５】
一方、調整カバー１１の内壁面１４の他側は、床面５３と継手６１との間隔に対応した長さに調整すべく床面５３に平行に切断できるようになっており、床面５３と継手６１との間隔が大きい場合にも対応し得る長さに形成されている。ここで、他側とは、床面５３側であり、図１の下部側を意味する。切断部は、具体的には、他側の内壁面１４に、所定間隔で複数、本実施形態においては５本の平行する切断溝２０が形成されていて、複数の切断溝２０から選択して段階的に切断されるものとなっている。切断溝２０は請求項の切断線に相当し、カッターや鋸等の工具を使用して切断溝２０に沿って直線的に切断し得る。
【００２６】
加えて、前記第１調整カバー半割体１２の左右両側端部の端面１２ａには、図２(a)に示すように、高さ方向全体に至って段部２１が突設されている。この段部２１は、後述する第２調整カバー半割体１３に設けられた突条２３と係合する。また、第１調整カバー半割体１２の内壁面１４の中央における上下方向３箇所には円管状のガイド孔２２が突設されている。
【００２７】
一方、前記第２調整カバー半割体１３の左右両側端部の端面１３ａには、図３(a)に示すように、高さ方向全体に至って四角柱状の突条２３が突設されている。この突条２３は、前述の第１調整カバー半割体１２の段部２１と係合して両半割体の組付時の位置決めのガイドとして機能するとともに、組付後の調整カバー１１を一定の形状に保持する。また、第２調整カバー半割体１３の内壁面１４において第１調整カバー半割体１２のガイド孔２２と対応する上下方向３箇所には、第１調整カバー半割体１２のガイド孔２２に嵌入される断面十字形状のガイド突起２４が突設されている。このガイド突起２４は、第１調整カバー半割体１２のガイド孔２２に嵌入して前記突条２３と同様に両半割体の組付時の位置決めのガイドとして機能するとともに、前記ガイド孔２２に圧入されて両半割体相互の接合強度を高める。なお、第１調整カバー半割体１２のガイド孔２２及び第２調整カバー半割体１３のガイド突起２４は、内壁面１４の中央における上下方向３箇所に設けられているが、これらの箇所、設置数に限られるものではなく、内壁面１４の左右両側端部の４箇所など適宜設定すればよい。
【００２８】
第１調整カバー半割体１２及び第２調整カバー半割体１３の外部から視認される外壁面１５には、意匠上、複数の縦溝１５ａが等間隔に刻設されたデザインが施されている。なお、外壁面１５はこれらのデザインの施されていない平滑面に形成してもよい。
【００２９】
次に、設置カバー３１は、図１、図４及び図５に示すように、全体的に略矩形状のプレート３４の中央に略小判形状の挿入口３５が形成された形状をなすとともに、中央で第１設置カバー半割体３２と第２設置カバー半割体３３とに分割された２分割体で構成されている。第１設置カバー半割体３２と第２設置カバー半割体３３とは、一部を除いて左右対称に形成されている。設置カバー３１は床面５３に設置され、挿入口３５には調整カバー１１の他側が嵌合状態で内挿されるようになっている。この設置カバー３１は、太陽光の紫外線に対する耐候性を備えたＡＥＳ樹脂などの合成樹脂で形成されている。
【００３０】
設置カバー３１の各半割体は、略矩形板のプレート３４の外周縁全体に至って床面５３側に屈曲するフランジ３６が設けられており、そのフランジ３６の先端面は床面５３に接地する。プレート３４に設けられた挿入口３５はその周縁に沿って挿入壁３７が立設されている。挿入壁３７の高さは調整カバー１１の各切断溝２０の間隔より長く形成されている。これにより、調整カバー１１を切断溝２０の間隔で切断しても必ず調整カバー１１の切断箇所は挿入壁３７によって覆われる。
【００３１】
加えて、前記第１設置カバー半割体３２のフランジ３６の両端部即ち割面には、図４に示すように、ビスが取付けられるビス取付板３８が対向する第２設置カバー半割体３３に向けて突設されている。ビス取付板３８の中央にはビス挿通孔３８ａが形成され、挿通孔の上部にはビスの頭部が収容される収容凹面３８ｂが形成されている。更に、ビス取付板３８に隣接する位置には、後述する第２設置カバー半割体３３の係合突片４０の係合爪４０ａが係合する係合凹部３９が設けられている。
【００３２】
一方、前記第２設置カバー半割体３３のプレート３４の割面には、図５に示すように、係合突片４０が対向する第１設置カバー半割体３２に向けて突設され、その係合突片４０の先端には係合爪４０ａが形成されている。この係合突片４０の係合爪４０ａは第１設置カバー半割体３２の係合凹部３９と係合して第１設置カバー半割体３２と第２設置カバー半割体３３とを接続し、設置カバー３１を組付状態とする。
【００３３】
次に、パネルヒータ５２は、図８に示すように、室内の壁面５４に沿って床面５３上に所定距離離間させて設置されている。パネルヒータ５２の底面５２ａの一側の端部には、図６(a)に示すように、床面５３を貫通して配管された二本の温水管５１が継手６１を介して接続されている。この温水管５１には合成樹脂管が使用されている。また、継手６１にはナット６２が使用されている。なお、パネルヒータ５２の一側の側面の上部には、温水の温度を調節するためのバルブ６８のノブ６９が取付けられている。
【００３４】
（取付手順）
次に、上記のように構成された本実施形態の保護カバー１Ａをパネルヒータ５２と床面５３との間の温水管５１及び継手６１に取付ける手順を図６乃至図８に基づいて説明する。まず、図６(a)に示すように、パネルヒータ５２と床面５３との間が大きい間隔Ｌ１であり、床面５３と継手６１との間隔が大きい場合を説明する。なお、図６(c1)、(d)、(e)においては、調整カバー１１の外壁面１５のデザイン上の縦溝１５ａは省略してある。
【００３５】
保護カバー１Ａを取付ける前においては、パネルヒータ５２と床面５３との間は、図６(a)に示すように、温水管５１と継手６１とが露出した状態にある。この状態でここに保護カバー１Ａを取付けるには、最初に、図６(b)に示すように、第１調整カバー半割体１２を背後から継手６１にあてがう。このとき、第１調整カバー半割体１２は、上端部の嵌合板１７を継手６１のナット６２の上面に当接させるとともに、２個のナット６２を嵌合板１７の切欠孔１８に嵌合させ、温水管５１を仕切板１９の切欠孔１９ａ内に挿通させるようにあてがう。この状態では、第１調整カバー半割体１２は継手６１のナット６２が継手嵌合部１６に嵌合した状態となるので、上下水平方向に移動するのが防止され、一定位置に保持される。
【００３６】
続いて、図６(c1)に示すように、継手６１及び温水管５１を挟んで第１調整カバー半割体１２の反対側即ち図６(c1)において前面側から第２調整カバー半割体１３をあてがい取付ける。このとき、第１調整カバー半割体１２のガイド孔２２に第２調整カバー半割体１３のガイド突起２４を挿入するように取付ける。また、第１調整カバー半割体１２の側面部の段部２１に第２調整カバー半割体１３の側面部の突条２３を係合するように取付ける。これにより、第２調整カバー半割体１３は、第１調整カバー半割体１２への組付位置を案内されて円滑に第１調整カバー半割体１２に組み付けられる。また、ガイド孔２２へのガイド突起２４の圧入により両半割体は強固に接続される。更に、第１調整カバー半割体１２の段部２１と第２調整カバー半割体１３の突条２３との係合により、第１調整カバー半割体１２と第２調整カバー半割体１３との間が密閉され、割面に隙間が生ずるのが防止される。これにより、紫外線が両半割体の割面から内部に入り込むことがなく、紫外線による温水管５１の劣化をより確実に防止することができる。
【００３７】
そして、組付後は、ガイド突起２４とガイド孔２２との係合、突条２３と段部２１との係合により、調整カバー１１は変形が防止され、一定形状に保持される。また、パネルヒータ５２と床面５３との間で露出していた温水管５１及び継手６１は全体が調整カバー１１によって覆われる。
【００３８】
次に、調整カバー１１を取付けたら、第１調整カバー半割体１２の背後からその下部に第１設置カバー半割体３２をほぼ水平方向からあてがい、図６(d)に示すように配置する。そして、ビス５５を第１設置カバー半割体３２のビス取付板３８の挿通孔３８ａに挿通し、床面５３に螺着する。このとき、調整カバー１１は、継手嵌合部１６が継手６１に嵌合することにより一定位置に仮保持されるので、設置カバー３１を床面５３に固定する際の位置決め部材ともなる。したがって、第１設置カバー半割体３２は調整カバー１１にあてがうことにより位置決めされ、その位置においてビス締めして床面５３に固定すればよい。なお、第１設置カバー半割体３２のビス取付板３８には収容凹面３８ｂが形成されているので、ビス５５の頭部がこの内部に収容された後、頭部が上部に突出して次の第２設置カバー半割体３３のプレート３４との組み付けにおいて支障となるのが回避される。このビス５５の取着により、第１設置カバー半割体３２は床面５３上の所定位置に固定され、同時に、調整カバー１１も一定位置に安定して保持される。
【００３９】
ここで、上記は、図６(c1)に示すように、第２調整カバー半割体１３を取付けて調整カバー１１を組み付けてから第１設置カバー半割体３２を取付けているが、図６(b)の後、図６(c2)に移行し、先に第１調整カバー半割体１２の下部にその外側から第１設置カバー半割体３２をあてがい、床面５３上に設置してから、第２調整カバー半割体１３を前面側からあてがって第１調整カバー半割体１２に組み付けることもできる。
【００４０】
上記いずれかの手順により、図６(d)に示したように、第２調整カバー半割体１３及び第１設置カバー半割体３２を取付けたら、図６(e)に示すように、第２設置カバー半割体３３を図６(e)の前面側からほぼ水平方向に移動させて第２調整カバー半割体１３の下部に配置しつつ、第１設置カバー半割体３２に向けて押し込んで組み付ける。これにより、第２設置カバー半割体３３の係合突片４０の係合爪４０ａは第１設置カバー半割体３２のプレート３４下面に設けられた係合凹部３９と係合し、設置カバー３１の組み付けが完了する。取付後の状態は、設置カバー３１の挿入口３５に調整カバー１１の他側即ち下部側が内挿されたものとなる。そして、この内挿により、調整カバー１１は、下端部が設置カバー３１の挿入壁３７に囲まれて設置カバー３１から外れるのが防止される。また、ビス５５は第２設置カバー半割体３３のプレート３４によって表側を覆われるので、ビス５５の頭部が設置カバー３１の表面側に露出することがなく、ビス５５の頭部が露出することによって見栄えが損なわれることはない。
【００４１】
以上により、温水管５１及び継手６１に対する保護カバー１Ａの取付けが完了する。図７に、取付後の保護カバー１Ａが温水管５１及び継手６１を覆って保護する状態を示す。また、図８に、取付後のパネルヒータ５２及び保護カバー１Ａを示す。
【００４２】
次に、図９に示すように、パネルヒータ５２と床面５３との間が小さい間隔Ｌ２であり、床面５３と継手６１との間隔が小さい場合の保護カバー１Ａの取付手順を説明する。
この場合は、調整カバー１１の上下方向の全長が間隔Ｌ２より大きいため、予め調整カバー１１の他側を切断して全長を短縮しておく必要がある。調整カバー１１の他側の切断においては、調整カバー１１をそのまま床面５３上に載置した状態では、調整カバー１１の嵌合板１７が形成されている上端部がパネルヒータ５２の底面５２ａより上方に位置するため、切断位置を決定することができない。この場合、スケールを使用すれば勿論切断位置を決定することはできるが、以下のようにすれば、スケールを使用することなく切断位置を決定するつまり切断溝２０の選択を行なうことができる。
【００４３】
即ち、図１０(a)に示すように、調整カバー１１を上下反転し逆さの状態にして床面５３上に載置する。即ち、調整カバー１１を上下反転した後は、調整カバー１１の一側が床面５３に載置され、他側が上方に位置する。この状態においては、床面５３と当接する、調整カバー１１の嵌合板１７が形成されている上端部が基端となるから、パネルヒータ５２の底面５２ａとの高さを合わせてこの底面５２ａに適合する切断溝２０を選択すれば、この切断溝２０までの高さはパネルヒータ５２と床面５３との間隔Ｌ２にほぼ等しくなる。そこで、この切断溝２０を選択してカッターや鋸等の工具を使用して切断すればよい。このとき、切断部分は切断溝２０で形成されているので、工具を切断溝２０から外れることなくこれに沿って真直ぐに移動させることができる。切断後の調整カバー１１を図１０(b)に示す。
【００４４】
なお、この場合に、切断溝２０は所定間隔で設けられているので、調整カバー１１における底面５２ａへの載置部から切断溝２０までの高さが、床面５３からパネルヒータ５２の底面５２ａまでの高さと完全に一致することは少なく、パネルヒータ５２の底面５２ａの位置は隣接する切断溝２０間に位置するのが普通である。そこで、パネルヒータ５２の底面５２ａが隣接する切断溝２０間に位置する高さにある場合は、パネルヒータ５２の底面５２ａの高さに近く、かつ、調整カバー１１の全長が短くなる方の切断溝２０を選択して切断する。何故なら、隣接する２本の切断溝２０のうち、パネルヒータ５２の底面５２ａより高い位置の切断溝２０を選択して切断すると、調整カバー１１の全長がパネルヒータ５２と床面５３との間隔Ｌ２より大きくなって調整カバー１１をこの間に挿入することができないからである。また、逆の、隣接する２本の切断溝２０のうち、パネルヒータ５２の底面５２ａより低い位置の切断溝２０を選択して切断した場合は、取着後に調整カバー１１の下端は全長が短い分だけ床面５３から上方に僅かに浮き上がり離間するものの、設置カバー３１の挿入口３５の周縁に挿入壁３７が立設されているので、これによって調整カバー１１の下端が覆われて、設置カバーの挿入口３５から水平方向に離脱することはなく、また、浮き上がり部分が露出して外観の低下を招くという不具合も生じないからである。
【００４５】
このようにして調整カバー１１の全長をパネルヒータ５２と床面５３との間隔Ｌ２に対応させて短縮した後は、前述した調整カバー１１の切断が行なわれていない場合と同様に、図６に示した手順で、パネルヒータ５２と床面５３との間に調整カバー１１及び設置カバー３１を取付けて温水管５１及び継手６１を覆えばよい。保護カバー１Ａを取付けた後の状態を図９に示す。なお、図９では、保護カバー１Ａの内部を示すため、前面側の各半割体の記載は省略してある。
【００４６】
（作用）
次に、第一実施形態の保護カバー１Ａの作用を説明する。
保護カバー１Ａは、床面５３から引き出された温水管５１を覆うので、室内における温水管５１の配管箇所の見栄えが向上する。
また、耐候性を有する保護カバー１Ａで温水管５１を覆うことにより、紫外線が遮断され、温水管５１の劣化が防止される。
【００４７】
更に、調整カバー１１の他側の複数の切断溝２０から選択して切断溝２０に沿って切断するだけで、調整カバー１１の上下方向の長さを調整することができるから、床面５３とパネルヒータ５２との間隔に対応して保護カバー１Ａを取付けるのが容易である。
【００４８】
そして、調整カバー１１は設置カバー３１の挿入口３５に内挿されるため、調整カバー１１の他側を切断した切り口が平滑でなく鋸歯状などの凹凸に形成されていたり、床面５３と平行せず僅かに傾斜して切断されていても、その切り口は設置カバー３１の挿入壁３７で覆われて外部から視認されることがないので、切断箇所における外観が低下することはない。
【００４９】
また、仮に、調整カバー１１が逆に設置カバー３１の挿入口３５の挿入壁３７に外挿されるものとすると、保護カバー１Ａの組付時に、設置カバー３１を配置してその半割体を組み付けてから調整カバー１１を組み付けるとした場合には、先に配置する設置カバー３１は、位置決めともなる調整カバー１１が未だ継手６１に取付けられていないので、床面５３への固定位置が定まっていない。そのため、設置カバー３１と調整カバー１１とを組み付けてから、設置カバー３１のプレート３４等にビスを取付けて設置カバー３１を床面５３に固定することが必要となる。これにより、ビスはプレート３４等の外側から取付けて設置カバー３１を固定することになり、ビスの頭部がプレート３４の表面側に露出するから、この部分の外観が低下してしまう。
【００５０】
しかし、本実施形態の調整カバー１１は、設置カバー３１の挿入口３５に内挿されるものであるから、前述のように、先に調整カバー１１を組み付けてから第１設置カバー半割体３２を配置し、ビス取付板３８においてビス締めし、その後第２設置カバー半割体３３を組み付けることができる。したがって、ビス５５の頭部は、第２設置カバー半割体３３のプレート３４によって表側を覆われ、設置カバー３１の表面側に露出することがないから、ビス５５の頭部の露出による見栄えの低下を招くことはない。
【００５１】
加えて、調整カバー１１は、二本の温水管５１を収容可能であるから、各温水管５１をそれぞれ保護カバー１Ａで保護する場合に比べて、よりすっきりした外観に仕上げることができるとともに、経済的である。
【００５２】
また、調整カバー１１の他側に、段階的に切断可能な切断線が形成されているので、切断線に沿って切断することにより、調整カバー１１を床面５３と継手６１との間隔に対応した長さに簡単に調整することができる。
【００５３】
そして、調整カバー１１は、他側を切断溝２０に沿って切断することにより全長を短縮するものであるから、例えば、調整カバー１１と設置カバー３１の挿入口３５の挿入壁３７とをほぼ全長に至って重なり合わせ、調整カバー１１をスライドさせて全長を短縮する場合と比べて、調整代即ち短縮できる長さを小さくすることができる。
【００５４】
ところで、上記第一実施形態は、温水管５１が建物の床面５３から引き出される場合の保護カバー１Ａを示しているが、温水管５１が建物の壁面５４から引き出されたものにも同様にして保護カバーを取付けて温水管５１を保護することができる。
【００５５】
図１１において、温水管５１は壁面５４を貫通して室内に引き出され、上方に屈曲してパネルヒータ５２の底面５２ａに接続されている。この温水管５１を保護するために取付けられる保護カバー１Ｂは、基本的には、床面５３から引き出された温水管５１を保護する保護カバー１Ａと同様に、２分割体からなる調整カバー１１Ａと設置カバー３１とで構成されている。但し、調整カバー１１Ａは、屈曲する温水管５１に対応して、図１２に示すように、エルボ状に屈曲形成され、屈曲部から水平方向に延びている部分である、調整カバー１１Ａの他側には、壁面５４に平行に切断可能な切断溝２０が所定間隔で形成されている。この実施形態の保護カバー１Ｂも、床面５３から引き出された温水管５１を保護する前述の保護カバー１Ａと同様に、切断溝２０を選択して切断することにより、壁面５４と継手６１との間隔に対応した長さに調整して取付けることができ、それにより、室内に露出する温水管５１及び継手６１はそれら全体が覆われ、保護される。
【００５６】
〈第二実施形態〉
次に、本発明の第二実施形態の保護カバーを図１３乃至図１７に基づいて説明する。第一実施形態の保護カバー１Ａ及び保護カバー１Ｂが温水管５１及びバルブ無しの継手６１を覆って保護するものであるのに対し、この第二実施形態の保護カバーは、温水管５１及びバルブ付き継手６３を覆って保護するものであり、特に請求項２の態様に相当する。
【００５７】
図１３乃至図１５において、保護カバー１Ｃは、床面５３から引き出されてパネルヒータ５２に接続される温水管５１を覆って保護するものである。ここで、床面５３を貫通して引き出された温水管５１はバルブ付き継手６３を介してパネルヒータ５２の底面５２ａに接続されている。保護カバー１Ｃは、二本の温水管５１を一体に覆って保護する調整カバー１１と、床面５３に設置され、調整カバー１１が内挿される挿入口３５を有する設置カバー３１と、バルブ付き継手６３を覆う継手カバー４１とを備えてなる。このうち、調整カバー１１及び設置カバー３１は、第一実施形態で使用されたものが用いられる。即ち、第二実施形態の保護カバー１Ｃは、第一実施形態の保護カバーと比べて、更に継手カバー４１を備えている。したがって、第二実施形態においては、調整カバー１１及び設置カバー３１の説明は省略する。
【００５８】
前記バルブ付き継手６３は、図１６及び図１７に示すように、温水管５１が接続されるナット６５を備えた温水管側接続部６４と、ナット６７を備え、パネルヒータ５２に接続されるパネルヒータ側接続部６６と、これらの接続部間に介在し、温水管５１の温度を調節するバルブ６８とで構成されている。バルブ６８の端部には手で把持して回されるノブ６９が接続されている。
【００５９】
前記継手カバー４１は、図１３に示すように、中央で第１継手カバー半割体４２と第２継手カバー半割体４３とに分割された２分割体で構成されている。一対の第１継手カバー半割体４２と第２継手カバー半割体４３とは、一部を除いて左右対称に形成されている。継手カバー４１は、バルブ付き継手６３を収容可能な大きさに形成されている。なお、ノブ６９は手で把持して操作されるものであるから、当然継手カバー４１の外側に位置する。
【００６０】
継手カバー４１の各半割体の上端には、上板４５を備えており、その割面側の側端部の２箇所にはパネルヒータ側接続部６６の連結軸７０が貫通する切欠孔４５ａが形成されている。この上板４５はバルブ付き継手６３に取付けられたときにパネルヒータ側接続部６６のナット６７の上面に当接するようになっている。そして、上板４５から下方に僅かに離間した位置には、嵌合板４６が上板４５と平行して内壁面に立設されており、嵌合板４６の割面側の側端部の２箇所にはバルブ付き継手６３におけるパネルヒータ側接続部６６のナット６７の側面と嵌合する半円形の切欠孔４６ａが形成されている。この嵌合板４６は、パネルヒータ側接続部６６のナット６７の側面と当接して継手カバー４１が水平方向に移動するのを規制する。また、これら上板４５及び嵌合板４６は、パネルヒータ側接続部６６に外嵌合する嵌合部４４を構成し、継手カバー４１がバルブ付き継手６３に対して上下水平方向に移動するのを規制し、継手カバー４１を一定位置に保持する。
【００６１】
また、継手カバー４１の各半割体の下端部は、調整カバー１１が接続される接続口４７を備えている。この接続口４７は調整カバー１１の上端部に外挿される。
更に、継手カバー４１の各半割体の一方の側面には、ノブ取付部７１が貫通する半円形の切欠孔４１ａが形成されている。そして、継手カバー４１の外部において、ノブ取付部７１にはノブ６９が取付けられている。
【００６２】
加えて、第１継手カバー半割体４２の内壁面４２ａにおける３箇所には円管状のガイド孔４８が突設されている。
他方、第２継手カバー半割体４３の内壁面４３ａにおいて第１継手カバー半割体４２のガイド孔４８と対向する３箇所には、ガイド孔４８に嵌入する断面十字形状のガイド突起４９が突設されている。このガイド突起４９は、第１継手カバー半割体４２のガイド孔４８に嵌入して両半割体の組付時の位置決めのガイドとして機能するとともに、ガイド孔４８内に圧入されて両半割体相互の接合強度を高める。
なお、第１継手カバー半割体４２のガイド孔４８及び第２継手カバー半割体４３のガイド突起４９の設置箇所は、図１４及び図１５に示す位置や数に限られるものではない。
【００６３】
第１継手カバー半割体４２及び第２継手カバー半割体４３の外壁面５０には、複数の縦溝５０ａが等間隔に刻設されたデザインが施されている。なお、外壁面５０はこれらのデザインの施されていない平滑面に形成したものであってもよい。
【００６４】
（取付手順）
次に、上記のように構成された第二実施形態の保護カバー１Ｃを温水管５１及びバルブ付き継手６３に取付ける手順を説明する。まず、図１６(a)に示すように、パネルヒータ５２と床面５３との間が大きい間隔Ｌ３であり、床面５３とバルブ付き継手６３との間隔が大きい場合を説明する。
【００６５】
パネルヒータ５２と床面５３との間において温水管５１とバルブ付き継手６３とが露出している状態でここに保護カバー１Ｃを取付けるには、最初に、図１６(a)に示すように、第１調整カバー半割体１２を背後からバルブ付き継手６３の温水管側接続部６４にあてがう。このとき、第１調整カバー半割体１２は、上端部の嵌合板１７を温水管側接続部６４のナット６５の上面に当接させるとともに、２個のナット６５を嵌合板１７の切欠孔１８に嵌合させ、温水管５１を仕切板１９の切欠孔１９ａ内に挿通させるようにあてがう。この状態においては、第１調整カバー半割体１２はバルブ付き継手６３のナット６５が継手嵌合部１６に嵌合した状態となるので、上下水平方向に移動するのが防止され、一定位置に維持される。
【００６６】
続いて、図示しないが、第一実施形態の調整カバー１１と同様にして、バルブ付き継手６３の温水管側接続部６４及び温水管５１を挟んで第１調整カバー半割体１２の反対側から第２調整カバー半割体１３をあてがい取付ける。このとき、第１調整カバー半割体１２のガイド孔２２への第２調整カバー半割体１３のガイド突起２４の挿入、及び第１調整カバー半割体１２の側面部の段部２１と第２調整カバー半割体１３の側面部の突条２３との係合により、第２調整カバー半割体１３は、第１調整カバー半割体１２への移動を案内され、円滑に第１調整カバー半割体１２に組み付けられる。これにより調整カバー１１が組み付けられた後は、ガイド突起２４とガイド孔２２との係合、突条２３と段部２１との係合により、調整カバー１１は変形が防止され、一定形状に保持される。そして、引き出された温水管５１及びバルブ付き継手６３の温水管側接続部６４の全体が調整カバー１１によって覆われる。
【００６７】
次に、調整カバー１１を取付けたら、図示しないが、第１調整カバー半割体１２の背後からその上部に第１継手カバー半割体４２の下端部の接続口４７をほぼ水平方向からあてがいつつ、バルブ付き継手６３の背後から第１継手カバー半割体４２を配置する。次いで、前面側から第２継手カバー半割体４３をあてがい、第１継手カバー半割体４２に組み付ける。これにより、継手カバー４１が組み付けられ、バルブ付き継手６３の全体が継手カバー４１によって覆われる。
【００６８】
次に、第一実施形態の設置カバー３１と同様にして、調整カバー１１の背後から第１調整カバー半割体１２の下部に第１設置カバー半割体３２をほぼ水平方向からあてがって配置する。そして、ビス取付板３８の挿通孔３８ａからビス５５を挿通して螺着することにより第１設置カバー半割体３２を床面５３に固定する。これにより、同時に、調整カバー１１及び継手カバー４１も一定位置に保持される。
【００６９】
この後、第２設置カバー半割体３３を前面側から第１設置カバー半割体３２に向けて押し込んで組み付ける。これにより、第２設置カバー半割体３３の係合突片４０の係合爪４０ａは第１設置カバー半割体３２のプレート３４下面に設けられた係合凹部３９と係合し、設置カバー３１の組み付けが完了する。
以上により、パネルヒータ５２と床面５３との間への保護カバー１Ｃの取付けが完了する。
【００７０】
なお、上記は、第１調整カバー半割体１２→第２調整カバー半割体１３→第１継手カバー半割体４２→第２継手カバー半割体４３→第１設置カバー半割体３２→第２設置カバー半割体３３の順に組み付けているが、これ以外の順で組み付けることもできる。例えば、調整カバー１１を組み付けた後、先に、設置カバー３１を組み付け、その後、継手カバー４１の組み付けを行なってもよい。
【００７１】
或いは、第１調整カバー半割体１２を配置した後、第１継手カバー半割体４２及び第１設置カバー半割体３２を配置し、図１６(b)に示すように、保護カバー１Ｃの片側の第１半割体の全体を先に仮保持させる。次いで、第２調整カバー半割体１３を第１調整カバー１１に組み付けた後、第２継手カバー半割体４３及び第２設置カバー半割体３３をそれぞれ第１継手カバー半割体４２及び第１設置カバー半割体３２に組み付けるようにしてもよい。
【００７２】
次に、図１７に示すように、パネルヒータ５２と床面５３との間が小さい間隔Ｌ４であり、床面５３とバルブ付き継手６３との間隔が小さい場合の保護カバー１Ｃの取付手順を説明する。
この場合、調整カバー１１の上下方向の全長が大きいと、パネルヒータ５２と床面５３との間に保護カバー１Ｃを配置することができないため、予め調整カバー１１の他側を切断して全長を短縮しておく。調整カバー１１の短縮は、第一実施形態と同様に、調整カバー１１を上下反転するなどして高さ合わせを行ない切断する切断溝２０を選択して、カッターや鋸等の工具を使用して切断することにより簡単に行なうことができる。
【００７３】
この切断により調整カバー１１の全長をパネルヒータ５２と床面５３との間隔Ｌ４に対応させて短縮した後は、前述の調整カバー１１の全長が大きい場合と同様の手順で、調整カバー１１、継手カバー４１及び設置カバー３１を取付ければよい。保護カバー１Ｃを取付けた後の状態を図１７に示す。なお、図１７では、保護カバー１Ｃの内部を示すため、前面側の各半割体の記載は省略してある。
【００７４】
第二実施形態の保護カバー１Ｃは、バルブ付き継手６３の部分は別途の継手カバー４１によって覆い、調整カバー１１及び設置カバー３１は、温水管５１及びバルブ付きでない継手６１に取付けられる第一実施形態に示した調整カバー１１及び設置カバー３１と共用できる。したがって、全体として保護カバーのコストを低減できる。
【００７５】
ところで、上記第二実施形態は、温水管５１が床面５３から引き出される場合の保護カバー１Ｃを示しているが、温水管５１が壁面５４から引き出されてパネルヒータ５２の底面５２ａに接続されたものにも同様にして保護カバーを取付けて温水管５１を保護することができる。
【００７６】
壁面５４から引き出された温水管５１を保護するこの保護カバーも、基本的には、床面５３から引き出された温水管５１を保護する保護カバー１Ｃと同様に、２分割体からなる調整カバー１１Ａ、設置カバー３１及び継手カバー４１で構成されている。但し、調整カバー１１Ａは、図１２に示した第一実施形態の調整カバー１１Ａと同一であり、屈曲する温水管５１に対応して屈曲形成され、屈曲部から水平方向に延びている部分である調整カバー１１Ａの他側に、壁面５４に平行に切断可能な切断溝２０が所定間隔で形成されている。
【００７７】
この実施形態の保護カバーも、調整カバー１１Ａの他側の切断溝２０を選択して切断することにより、壁面５４とパネルヒータ５２との間隔に対応した長さに調整して取付けることができ、それにより、室内に露出する温水管５１及びバルブ付き継手６３の全体を覆って保護する。
【００７８】
〈その他〉
ところで、上記各実施形態の設置カバー３１は、第１設置カバー半割体３２にビス取付板３８を設けてビス５５を床面５３等に螺着して床面５３等に固定しているが、調整カバー１１の継手嵌合部１６が継手６１やバルブ付き継手６３と嵌合して一定位置に保持されるので、ビス５５により固定しなくても床面５３上の一定位置に設置される。したがって、設置カバー３１は、必ずしも床面５３等に固定するものでなくてもよい。但し、当然ながら、ビス５５を使用して設置カバー３１を固定すれば、設置カバーの上下移動も確実に防止できるとともに、保護カバーをより安定して温水管５１等に取付けることができる。
【００７９】
また、上記各実施形態の設置カバー３１は、プレート３４の挿入口３５の周縁に挿入壁３７を立設しているが、挿入壁３７を立設しないものとしてもよい。挿入壁３７を立設すれば、調整カバー１１を安定して支持できるが、設置カバー３１として挿入壁３７が立設されていない平板状の外観としたい場合もあり得るからである。この場合、挿入壁３７が立設されていなくても、調整カバー１１の下端部は設置カバー３１の挿入口３５に内挿されるのであるから、この挿入口３５が位置決めとなって、調整カバー１１を設置カバー３１の中央に確実に位置させることができる。
【００８０】
更に、上記各実施形態の調整カバー及び継手カバー４１は、一対の半割体の組み付けにおいては、ガイド孔にガイド突起を挿入させて、組付位置の案内をさせるとともに、組付強度を大きくしているが、設置カバー３１の係合爪４０ａ及び係合凹部３９のような係合手段を適宜箇所に設ければ、更に組付強度を大きくすることができる。
【００８１】
そして、上記各実施形態の調整カバーは、二本の温水管５１を収容可能に形成されているが、一本の温水管５１のみ収容可能で、行きと戻りの温水管５１を個別に収容するものであってもよく、温水管５１の収容数は問わない。
【符号の説明】
【００８２】
１Ａ，１Ｂ，１Ｃ  保護カバー       ４７    接続口
１１，１１Ａ  調整カバー             ５１    温水管
１６    継手嵌合部                   ５２    パネルヒータ
２０    切断溝（切断線）             ５３    床面（構築面）
３１    設置カバー                   ５４    壁面（構築面）
３５    挿入口                       ６１    継手
４１    継手カバー                   ６３    バルブ付き継手
４４    嵌合部                       ６６    パネルヒータ側接続部
【図１】
2011089532.tif 000003
【図２】
2011089532.tif 000004
【図３】
2011089532.tif 000005
【図４】
2011089532.tif 000006
【図５】
2011089532.tif 000007
【図６】
2011089532.tif 000008
【図７】
2011089532.tif 000009
【図８】
2011089532.tif 000010
【図９】
2011089532.tif 000011
【図１０】
2011089532.tif 000012
【図１１】
2011089532.tif 000013
【図１２】
2011089532.tif 000014
【図１３】
2011089532.tif 000015
【図１４】
2011089532.tif 000016
【図１５】
2011089532.tif 000017
【図１６】
2011089532.tif 000018
【図１７】
2011089532.tif 000019